(57)【要約】【課題】スイッチの感度を良くし、人体に接触するとすぐに検知し、人体に大きな力が掛からないようにしたスイッチ構造体を提供する。【解決手段】相対向した２枚の電極板をスペーサ７を介することによって間隙を有する状態で配置してなる角型接触センサであって、押圧時に前記２枚の電極板が接触することにより電流が流れる角部を有する角型接触センサにおいて、該２枚の電極板が角部３で連続し、少なくとも該角部３で押圧される側の電極板が平面２を有するスイッチ構造体１である。【選択図】図１
2008258044.tif 000002
【特許請求の範囲】
【請求項１】
相対向した２枚の電極板をスペーサを介することによって間隙を有する状態で配置してなる角型接触センサであって、押圧時に前記２枚の電極板が接触することにより電流が流れる角部を有するスイッチ構造体において、該２枚の電極板が角部で連続し、少なくとも該角部で押圧される側の電極板が平面を有することを特徴とするスイッチ構造体。
【請求項２】
前記スイッチ構造体の角部において少なくとも下電極が押圧力が掛かる側に向かって突出した角状である請求項１に記載のスイッチ構造体。
【発明の詳細な説明】
【技術分野】
【０００１】
本発明は、医療用Ｘ線検査装置のＸ線検出部に取り付けられ、人体に接触した場合検知し、人体に大きな力が掛からないようにしたスイッチ構造体に関する。
【背景技術】
【０００２】
従来の接触センサとしては、相対向した２枚の電極板を間隙を有する状態で配置してなるスイッチ本体を被覆体で包囲固定したものが知られている。（特許文献１参照）
【特許文献１】実開平５−１１３０号公報
【０００３】
従来品は図６から図８に示すように、それぞれ４面のスイッチ構造体に分割され、角張った隅部において下電極板は銅板で、上電極板は平編み線を銅板にハンダ付けした平編み線で隣り合うスイッチ構造体同士を連結していた。
【０００４】
この方法では、側面に斜め方向から人体が接触した場合、スイッチの感度が悪く、人体に損害を与える恐れがあった。また、分割構造であるので、これらを接続するのに工数が掛かり、安価に製造できなかった。
【０００５】
そこで、相対向した２枚の電極板をスペーサを介することによって間隙を有する状態で配置してなる角型接触センサであって、押圧時に前記２枚の電極板が接触することにより電流が流れる角部を有する角型接触センサであって、該２枚の電極板が角部で連続し、該角部で押圧される側の電極板が湾曲自在であるように改良を行った。（特許文献２参照）
【特許文献２】特開２００４−３５５９４６号公報
【発明の開示】
【発明が解決しようとする課題】
【０００６】
しかしながら、前記相対向した２枚の電極板をスペーサを介することによって間隙を有する状態で配置してなる角型接触センサであって、押圧時に前記２枚の電極板が接触することにより電流が流れる角部を有する角型接触センサとして、該２枚の電極板が角部で連続し、該角部で押圧される側の電極板が湾曲自在であるように改良を行っても、前記押圧側の電極板が角形状から湾曲状にするまでに余分な力が必要となり、感度をさらに良くする必要があった。
【０００７】
本発明の目的は、スイッチの感度を良くし、人体に接触するとすぐに検知し、人体に大きな力が掛からないようにした接触型安全センサを提供することである。
【課題を解決するための手段】
【０００８】
本発明は、相対向した２枚の電極板をスペーサを介することによって間隙を有する状態で配置してなる角型接触センサであって、押圧時に前記２枚の電極板が接触することにより電流が流れる角部を有するスイッチ構造体において、該２枚の電極板が角部で連続し、少なくとも該角部で押圧される側の電極板が平面を有するスイッチ構造体にある。
【０００９】
請求項２に記載の発明は、前記スイッチ構造体の角部において少なくとも下電極が押圧力が掛かる側に向かって突出した角状である請求項１に記載のスイッチ構造体にある。
【発明の効果】
【００１０】
本発明は、相対向した２枚の電極板をスペーサを介することによって間隙を有する状態で配置してなる角型接触センサであって、押圧時に前記２枚の電極板が接触することにより電流が流れる角部を有するスイッチ構造体において、該２枚の電極板が角部で連続し、少なくとも該角部で押圧される側の電極板が平面を有するスイッチ構造体にあることから、前記スイッチ構造体の角部の上電極と下電極が共に直角形状で点接触する場合に比べて、反応荷重を小さくできる効果がある。
【００１１】
請求項２に記載の発明は、前記スイッチ構造体の角部において少なくとも下電極が押圧力が掛かる側に向かって突出した角状である請求項１に記載のスイッチ構造体であることから、請求項１の効果に加えて、下電極の角部が平面である場合と比較して、さらに反応荷重を小さくすることができるという効果がある。
【発明を実施するための最良の形態】
【００１２】
本発明の実施の形態について説明する。図２は、本発明のスイッチ構造体の概略外観図である。図１は、図２のスイッチ構造体の角部を拡大した概略図である。図３は本発明のスイッチ構造体を上面から見た図、図４は本発明のスイッチ構造体を側面から見た図である。又、図５は、本発明のスイッチ構造体の上電極板と下電極板とを分離した状態を示した図である。
【００１３】
図５から、本発明のスイッチ構造体１は、上電極板５と下電極板９とからなっており、上電極板５及び下電極板９は、基材１１の上に銀ペースト又は銅ペーストを印刷し、さらにその上にカーボンを印刷している。基材１１の材質としては、ポリエチレンテレフタレートフィルム、塩化ビニルフィルム、ポリアミドフィルム、ポリエチレンフィルム、ポリエステルフィルム、ポリイミドフィルムが好適に使用される。
【００１４】
上電極板５及び下電極板９の厚さは、０.０１〜０.２ｍｍが好ましい。本発明の電極板には、上記基材１１上に銀ペースト又は銅ペーストを印刷しただけのものも含まれるが、耐摩耗性向上の為には、前記銀ペースト又は銅ペーストの上にさらにカーボンを印刷したものを使用することが好ましい。
【００１５】
又、スペーサ７には基材１１と同様、ポリエチレンテレフタレートフィルム、塩化ビニルフィルム、ポリアミドフィルム、ポリエチレンフィルム、ポリエステルフィルム、ポリイミドフィルムが好適に使用され、その厚さは０.０２５〜０.５ｍｍが好ましい。しかし、絶縁体で塑性変形しにくいものであれば特に材質はこだわらない。
【００１６】
スイッチ構造体１の作用としては、外力が上電極板５に掛かった場合に、スペーサが歪み下電極板９と接触することによって電流が流れるスイッチの役目をするわけであるが、スペーサ７は角部３以外は、接着剤を塗布し、上電極板５と下電極板９の間で固定されているが、角部３においては、スペーサは存在せず、少なくとも押圧される側の上電極板５の角部３は平面状になっており、従って、角部３に力が掛かったときに下電極板９の角部３とは小さな力で接触することができ、センサの感度が上がる。このとき、下電極板９の角部３を押圧力が掛かる側に向かって突出した角状とすると、該下電極板９の角部３を平面状にしたときに比べてセンサの感度は良くなる。
【００１７】
一方、前記スイッチ構造体１の角部３の上電極板５の形状を円形にした場合、円形部分が変形し、微小な力でも上電極板５と下電極板９とが接触し、誤作動の原因となる。
【実施例】
【００１８】
次に、本発明を実施例によって具体的に説明する。
（実施例）
ポリエチレンテレフタレートフィルム上に銀ペーストを印刷し、さらにその上にカーボンを印刷して上電極板を作製した。さらに同様にポリエチレンテレフタレートフィルム上に銀ペーストを印刷、さらにその上にカーボンを印刷して下電極板を作製した。そして、上電極板と下電極板の間にスペーサとして絶縁性樹脂フィルムであるポリエステル樹脂を設置した。このときスイッチ構造体の平面部ではスペーサに接着剤を塗布し上電極板と下電極板との間に固定した。一方角部においては、スペーサは設けなかった。そして、上電極板の角部に平面を幅１．４ｍｍで設けた。そして、このスイッチ構造体を用いて角部を縦２０ｍｍ、横３０ｍｍの樹脂製板を取り付けたフォースゲージで押していき、電気抵抗値を測定し、電気抵抗値が２００Ω以下になったときの力を計測した。その結果を表１に示す。又、前記フォースゲージで上電極の角部に２００ｇｆの力を１５秒間加え、開放２分後の変形量を測定した。そのときの結果を表２に示す。
【００１９】
（従来例）
実施例と同じくポリエチレンテレフタレートフィルム上に銀ペーストを印刷し、さらにその上にカーボンを印刷して上電極板を作製した。さらに同様にポリエチレンテレフタレートフィルム上に銀ペーストを印刷し、さらにその上にカーボンを印刷して下電極板を作製した。そして、上電極板と下電極板との間にスペーサとして絶縁性樹脂であるポリエステル樹脂を設置した。角型接触センサの表面部ではスペーサに接着剤を塗布し上電極板と下電極板の間で固定した。角部は、上電極板、下電極板共に直角形状とした。そして、このスイッチ構造体を用いて角部を縦２０ｍｍ、横３０ｍｍの樹脂製板を取り付けたフォースゲージで押していき、電気抵抗値を測定し、電気抵抗値が２００Ω以下になったときの力を計測した。その結果を表１に示す。又、前記フォースゲージで２００ｇｆの力を１５秒間加え、開放２分後の変形量を測定した。そのときの結果を表２に示す。
【００２０】
（比較例）
実施例と同じくポリエチレンテレフタレートフィルム上に銀ペーストを印刷し、さらにその上にカーボンを印刷して上電極板を作製した。さらに同様にポリエチレンテレフタレートフィルム上に銀ペーストを印刷し、さらにその上にカーボンを印刷して下電極板を作製した。そして、上電極板と下電極板との間にスペーサとして絶縁性樹脂であるポリエステル樹脂を設置した。スイッチ構造体の表面部ではスペーサに接着剤を塗布し上電極板と下電極板の間で固定した。角部は、上電極板を半径１．０ｍｍの半円状とし、下電極板を直角形状とした。そして、このスイッチ構造体を用いてコーナー部を縦２０ｍｍ、横３０ｍｍの樹脂製板を取り付けたフォースゲージで押していき、２００ｇｆの力を１５秒間加え、開放２分後の変形量を測定した。その結果を表２に示す。
【００２１】
【表１】
2008258044.tif 000003
【００２２】
【表２】
2008258044.tif 000004
【００２３】
表１の結果より、実施例は、小さい荷重で、電気抵抗値が２００Ω以下になることがわかる。表２の結果より、実施例は従来例、比較例に比べて変形が小さいことがわかる。
している。
【図面の簡単な説明】
【００２４】
【図１】図２のスイッチ構造体の角部を拡大した概略図である。
【図２】本発明のスイッチ構造体の概略概観図である。
【図３】本発明のスイッチ構造体を上面から見た図である。
【図４】本発明のスイッチ構造体を側面から見た図である。
【図５】本発明のスイッチ構造体の上電極板と下電極板とを分離した状態を示した図である。
【図６】従来のスイッチ構造体の角部を示した図である。
【図７】従来のスイッチ構造体を上面から見た図である。
【図８】従来のスイッチ構造体を側面から見た図である。
【符号の説明】
【００２５】
１    スイッチ構造体
２    平面
３    角部
５    上電極板
７    スペーサ
９    下電極板
【図１】
2008258044.tif 000005
【図２】
2008258044.tif 000006
【図３】
2008258044.tif 000007
【図４】
2008258044.tif 000008
【図５】
2008258044.tif 000009
【図６】
2008258044.tif 000010
【図７】
2008258044.tif 000011
【図８】
2008258044.tif 000012